【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
電子画像データに対して画像処理を実行し、画像処理結果の表示を行う情報処理装置であって、
予め用意されている、前記電子画像データに対して実行可能な画像処理アイテムから、前記電子画像データに対して実行する画像処理アイテムである第１の画像処理アイテム及びその処理順の指定を受け付ける第１の受付手段と、
前記第１の受付手段で受け付けた第１の画像処理アイテムに係る画像処理を前記処理順に実行する実行手段と、
前記実行手段による電子画像データに対する前記第１の画像処理アイテムに係る画像処理それぞれの処理結果である結果電子画像データを第１の表示領域に表示する第１の表示制御手段と、
を備えることを特徴とする情報処理装置。
【請求項２】
前記第１の表示領域には、前記各第１の画像処理アイテムに係る処理による電子画像データに対する画像処理の結果を表示する領域として前記第１の画像処理アイテムに対応付けられた複数の結果表示領域が設定され、
前記第１の表示制御手段は、前記各第１の画像処理アイテムにかかる処理による電子画像データに対する画像処理の結果を、当該第１の画像処理アイテムに対応する前記結果表示領域に表示すること
を特徴とする請求項１に記載の情報処理装置。
【請求項３】
画像処理を前記電子画像データに対して実行するためのアプリケーションプログラムを生成するためのソースコードを前記画像処理アイテムと対応付けて記憶する記憶手段と、
前記記憶手段に記憶されているソースコードを用いて、前記アプリケーションプログラムを生成する生成手段を更に備え、
前記生成手段は、前記第１の受付手段で受け付けた第１の画像処理アイテムに対応するソースコードを用いて前記アプリケーションプログラムを生成し、
前記実行手段は、前記生成手段で生成したアプリケーションプログラムを実行することで、前記電子画像データに対して第１の画像処理アイテムに係る画像処理を実行すること
を特徴とする請求項１または２に記載の情報処理装置。
【請求項４】
前記第１の受付手段で前記電子画像データに対して実行する第１の画像処理アイテムとして既に指定を受け付けた画像処理アイテムを除外する除外手段と、
前記第１の受付手段で指定を受け付けた前記第１の画像処理アイテムの処理順の変更を行う変更手段と、
を更に備えることを特徴とする請求項３に記載の情報処理装置。
【請求項５】
前記第１の受付手段で受け付けた前記第１の画像処理アイテムによる処理順を示すフローチャート表示を第２の表示領域に行う第２の表示制御手段を更に備え、
前記除外手段は、前記第２の表示領域に表示されているフローチャートに含まれる第１の画像処理アイテムに対して除外指示を受け付けた画像処理アイテムを除外し、
前記変更手段は、前記第２の表示領域に表示されているフローチャートに含まれる第１の画像処理アイテムに対する処理順の変更指示を受け付けることで、第１の画像処理アイテムの処理順の変更を行う
ことを特徴とする請求項４に記載の情報処理装置。
【請求項６】
前記記憶手段に記憶されている画像処理アイテムを選択可能に第３の表示領域に表示する第３の表示制御手段を更に備え、
前記第１の受付手段は、前記第３の表示領域に表示されている画像処理アイテムを示す情報に対する前記第２の表示領域へのドラッグアンドドロップ処理を受け付けることで、前記第１の画像処理アイテムの指定を受け付けること
を特徴とする請求項５に記載の情報処理装置。
【請求項７】
前記第１の画像処理アイテムが画像処理を実行する際に用いるパラメータの入力を受け付ける第２の受付手段と、
前記第２の受付手段で受け付けたパラメータを用いて電子画像データに対して当該第１の画像処理アイテムに係る処理を実行した結果得られる結果電子画像データを第４の表示領域に表示する第４の表示制御手段と、
前記第２の受付手段で受け付けた前記パラメータを前記第１の画像処理アイテムに係るパラメータとして確定する確定手段と、
を更に備え、
前記第２の表示制御手段は、前記第２の受付手段によりパラメータの入力を受け付けに応じて、前記第４の表示領域の結果電子画像データの表示を更新すること
を特徴とする請求項１乃至６のいずれか１項に記載の情報処理装置。
【請求項８】
電子画像データに対して画像処理を実行し、画像処理結果の表示を行う情報処理装置によって行われる情報処理方法であって、
予め用意されている、前記電子画像データに対して実行可能な画像処理アイテムから、前記電子画像データに対して実行する画像処理アイテムである第１の画像処理アイテム及びその処理順の指定を受け付ける第１の受付工程と、
前記第１の受付工程で受け付けた第１の画像処理アイテムに係る画像処理を前記処理順に実行する実行工程と、
前記実行工程による電子画像データに対する前記第１の画像処理アイテムに係る画像処理それぞれの処理結果である結果電子画像データを第１の表示領域に表示する第１の表示制御工程と、
を備えることを特徴とする情報処理方法。
【請求項９】
前記第１の表示領域には、前記各第１の画像処理アイテムに係る処理による電子画像データに対する画像処理の結果を表示する領域として前記第１の画像処理アイテムに対応付けられた複数の結果表示領域が設定され、
前記第１の表示制御工程は、前記各第１の画像処理アイテムにかかる処理による電子画像データに対する画像処理の結果を、当該第１の画像処理アイテムに対応する前記結果表示領域に表示すること
を特徴とする請求項８に記載の情報処理方法。
【請求項１０】
記憶装置に前記画像処理アイテムと対応付けて記憶されている画像処理を前記電子画像データに対して実行するためのアプリケーションプログラムを生成するためのソースコードを用いて、前記アプリケーションプログラムを生成する生成工程を更に備え、
前記生成工程は、前記第１の受付工程で受け付けた第１の画像処理アイテムに対応するソースコードを用いて前記アプリケーションプログラムを生成し、
前記実行工程は、前記生成工程で生成したアプリケーションプログラムを実行することで、前記電子画像データに対して第１の画像処理アイテムに係る画像処理を実行すること
を特徴とする請求項８または９に記載の情報処理方法。
【請求項１１】
コンピュータを、電子画像データに対して画像処理を実行し、画像処理結果の表示を行う情報処理装置として機能させるためのコンピュータプログラムであって、
前記コンピュータを、
予め用意されている、前記電子画像データに対して実行可能な画像処理アイテムから、前記電子画像データに対して実行する画像処理アイテムである第１の画像処理アイテム及びその処理順の指定を受け付ける第１の受付手段と、
前記第１の受付手段で受け付けた第１の画像処理アイテムに係る画像処理を前記処理順に実行する実行手段と、
前記実行手段による電子画像データに対する前記第１の画像処理アイテムに係る画像処理それぞれの処理結果である結果電子画像データを第１の表示領域に表示する第１の表示制御手段、
として機能させること特徴とするコンピュータプログラム。
【請求項１２】
前記第１の表示領域には、前記各第１の画像処理アイテムに係る処理による電子画像データに対する画像処理の結果を表示する領域として前記第１の画像処理アイテムに対応付けられた複数の結果表示領域が設定され、
前記第１の表示制御手段は、前記各第１の画像処理アイテムにかかる処理による電子画像データに対する画像処理の結果を、当該第１の画像処理アイテムに対応する前記結果表示領域に表示すること
を特徴とする請求項１１に記載のコンピュータプログラム。
【請求項１３】
前記コンピュータを更に、
記憶装置に前記画像処理アイテムと対応付けて記憶されている画像処理を前記電子画像データに対して実行するためのアプリケーションプログラムを生成するためのソースコードを用いて、前記アプリケーションプログラムを生成する生成手段として機能させ、
前記生成手段は、前記第１の受付手段で受け付けた第１の画像処理アイテムに対応するソースコードを用いて前記アプリケーションプログラムを生成し、
前記実行手段は、前記生成手段で生成したアプリケーションプログラムを実行することで、前記電子画像データに対して第１の画像処理アイテムに係る画像処理を実行すること
を特徴とする請求項１１または１２に記載のコンピュータプログラム。
【手続補正２】
【補正対象書類名】明細書
【補正対象項目名】発明の名称
【補正方法】変更
【補正の内容】
【発明の名称】情報処理装置、情報処理方法、及びコンピュータプログラム
【手続補正３】
【補正対象書類名】明細書
【補正対象項目名】０００１
【補正方法】変更
【補正の内容】
【０００１】
本発明は、画像の処理を行う情報処理装置、情報処理方法、及び、コンピュータプログラムに関する。
【手続補正４】
【補正対象書類名】明細書
【補正対象項目名】００１１
【補正方法】変更
【補正の内容】
【００１１】
本発明は、このような問題点に鑑みてなされたものであり、効率の良い画像処理ロジック（処理フロー）の構築を実現し得る情報処理装置、情報処理方法、及び、コンピュータプログラムを提供することを目的とする。
【手続補正５】
【補正対象書類名】明細書
【補正対象項目名】００１２
【補正方法】変更
【補正の内容】
【００１２】
本発明の情報処理装置は、電子画像データに対して画像処理を実行し、画像処理結果の表示を行う情報処理装置であって、予め用意されている、前記電子画像データに対して実行可能な画像処理アイテムから、前記電子画像データに対して実行する画像処理アイテムである第１の画像処理アイテム及びその処理順の指定を受け付ける第１の受付手段と、前記第１の受付手段で受け付けた第１の画像処理アイテムに係る画像処理を前記処理順に実行する実行手段と、前記実行手段による電子画像データに対する前記第１の画像処理アイテムに係る画像処理それぞれの処理結果である結果電子画像データを第１の表示領域に表示する第１の表示制御手段と、を備えることを特徴とする。
【手続補正６】
【補正対象書類名】明細書
【補正対象項目名】００１３
【補正方法】変更
【補正の内容】
【００１３】
本発明の情報処理方法は、電子画像データに対して画像処理を実行し、画像処理結果の表示を行う情報処理装置によって行われる情報処理方法であって、予め用意されている、前記電子画像データに対して実行可能な画像処理アイテムから、前記電子画像データに対して実行する画像処理アイテムである第１の画像処理アイテム及びその処理順の指定を受け付ける第１の受付工程と、前記第１の受付工程で受け付けた第１の画像処理アイテムに係る画像処理を前記処理順に実行する実行工程と、前記実行工程による電子画像データに対する前記第１の画像処理アイテムに係る画像処理それぞれの処理結果である結果電子画像データを第１の表示領域に表示する第１の表示制御工程と、を備えることを特徴とする。
【手続補正７】
【補正対象書類名】明細書
【補正対象項目名】００１４
【補正方法】変更
【補正の内容】
【００１４】
本発明のコンピュータプログラムは、コンピュータを、電子画像データに対して画像処理を実行し、画像処理結果の表示を行う情報処理装置として機能させるためのコンピュータプログラムであって、前記コンピュータを、予め用意されている、前記電子画像データに対して実行可能な画像処理アイテムから、前記電子画像データに対して実行する画像処理アイテムである第１の画像処理アイテム及びその処理順の指定を受け付ける第１の受付手段と、前記第１の受付手段で受け付けた第１の画像処理アイテムに係る画像処理を前記処理順に実行する実行手段と、前記実行手段による電子画像データに対する前記第１の画像処理アイテムに係る画像処理それぞれの処理結果である結果電子画像データを第１の表示領域に表示する第１の表示制御手段、として機能させること特徴とする。